(57)【要約】      （修正有）【課題】関心領域における穿刺針の視認性を向上させる超音波診断装置を提供する。【解決手段】超音波画像生成部１４１と、穿刺経路予測部と、生成部１４２と、設定部１６２と、表示制御部１６４とを有する。超音波画像生成部は、超音波プローブによって受信された反射波に基づいて超音波画像データを生成する。穿刺経路予測部は、超音波画像データの撮像領域へ刺入される穿刺針の穿刺経路を予測する。生成部は、穿刺経路予測部により予測された穿刺経路を示す穿刺ガイドラインを、超音波画像データに重畳した画像データを生成する。設定部は、超音波画像データにおいて、穿刺針の穿刺対象に対応する関心領域を設定する。表示制御部は、画像データに重畳される穿刺ガイドラインのうち、関心領域と重畳する重畳部分を、関心領域と重畳しない非重畳部分とは異なる表示態様で表示させる。【選択図】図３
2014054386.tif 000002
【特許請求の範囲】
【請求項１】
超音波プローブによって受信された反射波に基づいて超音波画像データを生成する超音波画像生成部と、
前記超音波画像データの撮像領域へ刺入される穿刺針の穿刺経路を予測する穿刺経路予測部と、
前記穿刺経路予測部により予測された前記穿刺経路を示す穿刺ガイドラインを、前記超音波画像データに重畳した画像データを生成する生成部と、
前記超音波画像データにおいて、前記穿刺針の穿刺対象に対応する関心領域を設定する設定部と、
前記画像データに重畳される穿刺ガイドラインのうち、前記関心領域と重畳する重畳部分を、当該関心領域と重畳しない非重畳部分とは異なる表示態様で表示させる表示制御部と
を備えたことを特徴とする超音波診断装置。
【請求項２】
前記表示制御部は、前記重畳部分の穿刺ガイドラインの表示態様を、前記非重畳部分に比較して視認性の低い表示態様で表示させることを特徴とする請求項１に記載の超音波診断装置。
【請求項３】
前記穿刺針の位置を検知する検知部をさらに備え、
前記表示制御部は、前記検知部によって検知された穿刺針の位置が、前記関心領域又は前記関心領域から所定距離以内に到達すると、前記重畳部分の穿刺ガイドラインの表示態様を、前記非重畳部分とは異なる表示態様で表示させることを特徴とする請求項１又は２に記載の超音波診断装置。
【請求項４】
前記重畳部分の穿刺ガイドラインの表示態様を、前記非重畳部分とは異なる表示態様で表示させる旨の指示を操作者から受け付ける受付部をさらに備え、
前記表示制御部は、前記受付部が前記指示を受け付けると、前記重畳部分の穿刺ガイドラインの表示態様を、前記非重畳部分とは異なる表示態様で表示させることを特徴とする請求項１又は２に記載の超音波診断装置。
【請求項５】
前記表示制御部は、前記設定部によって関心領域が設定されると、前記重畳部分の穿刺ガイドラインの表示態様を、前記非重畳部分とは異なる表示態様で表示させることを特徴とする請求項１又は２に記載の超音波診断装置。
【請求項６】
前記設定部は、一方が前記超音波プローブによって受信された反射波に基づいて生成された超音波画像データである２つの医用画像データにおいて、当該２つの医用画像データの位置合わせをするために設定された領域を、前記関心領域として設定することを特徴とする請求項１〜５のいずれか一つに記載の超音波診断装置。
【請求項７】
前記穿刺針の位置を検知する検知部をさらに備え、
前記設定部は、前記検知部によって検知された穿刺針の針先部分から所定の範囲に対応する領域を関心領域として設定することを特徴とする請求項１又は２に記載の超音波診断装置。
【請求項８】
前記表示制御部は、前記重畳部分の穿刺ガイドラインを消去することを特徴とする請求項１〜７のいずれか一つに記載の超音波診断装置。
【請求項９】
超音波プローブによって受信された反射波に基づいて超音波画像データを生成する超音波画像生成手順と、
前記超音波画像データの撮像領域へ刺入される穿刺針の穿刺経路を予測する穿刺経路予測手順と、
前記穿刺経路予測手順により予測された前記穿刺経路を示す穿刺ガイドラインを、前記超音波画像データに重畳した画像データを生成する生成手順と、
前記超音波画像データにおいて、前記穿刺針の穿刺対象に対応する関心領域を設定する設定手順と、
前記画像データに重畳される穿刺ガイドラインのうち、前記関心領域と重畳する重畳部分を、当該関心領域と重畳しない非重畳部分とは異なる表示態様で表示させる表示制御手順と
をコンピュータに実行させることを特徴とする画像データの表示制御プログラム。
【発明の詳細な説明】
【技術分野】
【０００１】
本発明の実施形態は、超音波診断装置及び画像データの表示制御プログラムに関する。
【背景技術】
【０００２】
従来、医用画像診断装置を用いた穿刺が行われている。特に、超音波診断装置は、超音波画像をリアルタイムで表示できることから、生体組織検査やラジオ波焼灼治療（ＲＦＡ：Radio  Frequency  Ablation）などの穿刺が行われる場合に多く用いられる。例えば、生体組織検査のために組織採取を行う場合には、医師は、ターゲット（関心領域）となる病変部位をリアルタイムで超音波画像により確認しながら、穿刺針を体内に刺し、組織採取を行う。また、ＲＦＡを行う場合には、医師は、ターゲットとなる病変部位をリアルタイムで超音波画像により確認しながら、穿刺針を病変部位まで刺し、その後、穿刺針からラジオ波を照射する。
【０００３】
関心領域に正確に穿刺するために、穿刺針が通過するライン（穿刺ガイドライン）を表示する技術が知られている。この技術では、例えば、穿刺針の穿刺方向を固定するための穿刺アダプタが超音波プローブに装着される。そして、穿刺アダプタの装着位置及び装着角度、さらに超音波プローブの位置及び角度に基づいて、超音波プローブに対する穿刺針の経路が決定される。そして、超音波プローブに対する穿刺ガイドラインが超音波画像に重畳されて表示される。これにより、医師は、表示された穿刺ガイドラインと病変部位との位置関係から、穿刺針を刺す際の超音波プローブの位置を決定することができる。なお、この穿刺ガイドラインは、ニードルマークとも称される。
【０００４】
ところで、生体組織検査やＲＦＡでは、医師は、穿刺ガイドラインの位置よりも、実際の穿刺針の針先の位置を正確に把握したい場合がある。しかしながら、超音波画像に穿刺ガイドラインが重畳表示された場合には、超音波画像上に描出された穿刺針の上に穿刺ガイドラインが重畳表示されてしまうことにより、描出される穿刺針の視認性は低下していた。
【先行技術文献】
【特許文献】
【０００５】
【特許文献１】特開２００８−１７８５８９号公報
【発明の概要】
【発明が解決しようとする課題】
【０００６】
本発明が解決しようとする課題は、関心領域における穿刺針の視認性を向上させることができる超音波診断装置及び画像データの表示制御プログラムを提供することである。
【課題を解決するための手段】
【０００７】
実施形態に係る超音波診断装置は、超音波画像生成部と、穿刺経路予測部と、生成部と、設定部と、表示制御部とを有する。超音波画像生成部は、超音波プローブによって受信された反射波に基づいて超音波画像データを生成する。穿刺経路予測部は、超音波画像データの撮像領域へ刺入される穿刺針の穿刺経路を予測する。生成部は、穿刺経路予測部により予測された穿刺経路を示す穿刺ガイドラインを、前記超音波画像データに重畳した画像データを生成する。設定部は、超音波画像データにおいて、穿刺針の穿刺対象に対応する関心領域を設定する。表示制御部は、画像データに重畳される穿刺ガイドラインのうち、関心領域と重畳する重畳部分を、関心領域と重畳しない非重畳部分とは異なる表示態様で表示させる。
【図面の簡単な説明】
【０００８】
【図１】図１は、第１の実施形態に係る超音波診断装置の全体構成を説明するための図である。
【図２】図２は、画像生成部の処理を説明するための図である。
【図３】図３は、制御部の構成の一例を説明するための図である。
【図４】図４は、設定部の処理を説明するための図である。
【図５】図５は、検知部の処理を説明するための図である。
【図６】図６は、表示制御部の処理を説明するための図である。
【図７】図７は、表示制御部の処理を説明するための図である。
【図８】図８は、第１の実施形態に係る超音波診断装置の処理手順を示すフローチャートである。
【図９】図９は、第２の実施形態に係る画像の位置合わせの一例を説明するための図である。
【図１０】図１０は、第２の実施形態に係る位置合わせされた画像の並列表示の一例を示す図である。
【図１１】図１１は、受付部の処理を説明するための図である。
【発明を実施するための形態】
【０００９】
以下、図面を参照して、実施形態に係る超音波診断装置及び画像データの表示制御プログラムを説明する。
【００１０】
（第１の実施形態）
図１は、第１の実施形態に係る超音波診断装置１の全体構成を説明するための図である。図１に示すように、第１の実施形態に係る超音波診断装置１は、超音波プローブ１１と、穿刺針１１ａと、穿刺アダプタ１１ｂと、入力装置１２と、モニタ１３と、装置本体１００とを有し、ネットワークに接続されている。
【００１１】
超音波プローブ１１は、複数の圧電振動子を有し、これら複数の圧電振動子は、後述する装置本体１００が有する送受信部１１０から供給される駆動信号に基づき超音波を発生し、さらに、被検体Ｐからの反射波を受信して電気信号に変換する。また、超音波プローブ１１は、圧電振動子に設けられる整合層と、圧電振動子から後方への超音波の伝播を防止するバッキング材などを有する。
【００１２】
超音波プローブ１１から被検体Ｐに超音波が送信されると、送信された超音波は、被検体Ｐの体内組織における音響インピーダンスの不連続面で次々と反射され、反射波信号として超音波プローブ１１が有する複数の圧電振動子にて受信される。受信される反射波信号の振幅は、超音波が反射される不連続面における音響インピーダンスの差に依存する。なお、送信された超音波パルスが移動している血流や心臓壁などの表面で反射された場合の反射波信号は、ドプラ効果により、移動体の超音波送信方向に対する速度成分に依存して、周波数偏移を受ける。
【００１３】
そして、第１の実施形態に係る超音波プローブ１１には、医師が超音波画像を参照しながら生体組織検査やラジオ波焼灼治療などの穿刺を行うために、穿刺針１１ａが取り付けられる。穿刺針１１ａは、超音波プローブ１１に装着された穿刺アダプタ１１ｂに取り付けられている。医師は、穿刺ガイドラインが重畳された超音波画像を参照しながら、穿刺アダプタ１１ｂに取り付けられた穿刺針１１ａを被検体Ｐの関心領域（ＲＯＩ：Region  of  Interest）まで挿入する。
【００１４】
なお、本実施形態は、複数の圧電振動子が一列で配置された１次元超音波プローブである超音波プローブ１１により、被検体Ｐを２次元でスキャンする場合であっても、１次元超音波プローブの複数の圧電振動子を機械的に揺動する超音波プローブ１１（メカ４Ｄプローブ）や複数の圧電振動子が格子状に２次元で配置された２次元超音波プローブである超音波プローブ１１（２Ｄアレイプローブ）により、被検体Ｐを３次元でスキャンする場合であっても、適用可能である。
【００１５】
入力装置１２は、トラックボール、スイッチ、ボタン、タッチコマンドスクリーンなどを有し、超音波診断装置１の操作者からの各種設定指示を受け付け、装置本体１００に対して受け付けた各種設定指示を転送する。例えば、入力装置１２は、操作者からの各種指示、関心領域の設定指示、超音波画像における画質条件の設定指示などを装置本体１００に取り込む。
【００１６】
モニタ１３は、超音波診断装置１の操作者が入力装置１２を用いて各種設定指示を入力するためのＧＵＩ（Graphical  User  Interface）を表示したり、装置本体１００において生成された超音波画像などを表示したりする。
【００１７】
装置本体１００は、超音波プローブ１１が受信した反射波に基づいて超音波画像を生成する装置である。装置本体１００は、図１に示すように、送受信部１１０と、Ｂモード処理部１２０と、ドプラ処理部１３０と、画像生成部１４０と、画像メモリ１５０と、制御部１６０と、内部記憶部１７０と、インターフェース部１８０とを有する。
【００１８】
送受信部１１０は、トリガ発生回路、遅延回路及びパルサ回路などを有し、超音波プローブ１１に駆動信号を供給する。パルサ回路は、所定のレート周波数で、送信超音波を形成するためのレートパルスを繰り返し発生する。また、遅延回路は、超音波プローブ１１から発生される超音波をビーム状に集束して送信指向性を決定するために必要な圧電振動子ごとの遅延時間を、パルサ回路が発生する各レートパルスに対し与える。また、トリガ発生回路は、レートパルスに基づくタイミングで、超音波プローブ１１に駆動信号（駆動パルス）を印加する。すなわち、遅延回路は、各レートパルスに対し与える遅延時間を変化させることで、圧電振動子面からの送信方向を任意に調整する。
【００１９】
また、送受信部１１０は、アンプ回路、Ａ／Ｄ変換器、加算器などを有し、超音波プローブ１１が受信した反射波信号に対して各種処理を行って反射波データを生成する。アンプ回路は、反射波信号をチャンネルごとに増幅してゲイン補正処理を行い、Ａ／Ｄ変換器は、ゲイン補正された反射波信号をＡ／Ｄ変換して受信指向性を決定するのに必要な遅延時間を与え、加算器は、Ａ／Ｄ変換器によって処理された反射波信号の加算処理を行って反射波データを生成する。加算器の加算処理により、反射波信号の受信指向性に応じた方向からの反射成分が強調される。
【００２０】
このように、送受信部１１０は、超音波の送受信における送信指向性と受信指向性とを制御する。なお、送受信部１１０は、後述する制御部１６０の制御により、遅延情報、送信周波数、送信駆動電圧、開口素子数などを瞬時に変更可能な機能を有している。特に、送信駆動電圧の変更においては、瞬時に値を切り替えることが可能であるリニアアンプ型の発振回路、又は、複数の電源ユニットを電気的に切り替える機構によって実現される。また、送受信部１１０は、１フレームもしくはレートごとに、異なる波形を送信して受信することも可能である。
【００２１】
Ｂモード処理部１２０は、送受信部１１０からゲイン補正処理、Ａ／Ｄ変換処理及び加算処理が行われた処理済み反射波信号である反射波データを受信し、対数増幅、包絡線検波処理などを行って、信号強度が輝度の明るさで表現されるデータ（Ｂモードデータ）を生成する。  
【００２２】
ドプラ処理部１３０は、送受信部１１０から受信した反射波データから速度情報を周波数解析し、ドプラ効果による血流や組織、造影剤エコー成分を抽出し、平均速度、分散、パワーなどの移動体情報を多点について抽出したデータ（ドプラデータ）を生成する。
【００２３】
画像生成部１４０は、超音波画像生成部１４１と、生成部１４２とを有する。このうち、超音波画像生成部１４１は、Ｂモード処理部１２０が生成したＢモードデータや、ドプラ処理部１３０が生成したドプラデータから、超音波画像データを生成する。具体的には、超音波画像生成部１４１は、超音波スキャンの走査線信号列を、テレビなどに代表されるビデオフォーマットの走査線信号列に変換（スキャンコンバート）することで、Ｂモードデータやドプラデータから表示用の超音波画像データ（Ｂモード画像データやドプラ画像データ）を生成する。また、生成部１４２は、超音波画像生成部１４１により生成された超音波画像データに、後述する穿刺ガイドラインや種々のパラメータの文字情報、目盛り、ボディマークなどを合成した画像データを生成し、ビデオ信号としてモニタ１３に出力する。
【００２４】
画像メモリ１５０は、画像生成部１４０によって生成された造影像や組織像などの画像データを記憶する。また、画像メモリ１５０は、画像生成部１４０による処理結果を記憶する。さらに、画像メモリ１５０は、送受信部１１０を経た直後の出力信号や画像の輝度信号、種々の生データ、ネットワークを介して取得した画像データなどを必要に応じて記憶する。画像メモリ１５０が記憶する画像データのデータ形式は、後述する制御部１６０によりモニタ１３に表示されるビデオフォーマット変換後のデータ形式であっても、Ｂモード処理部１２０及びドプラ処理部１３０によって生成されたＲａｗデータである座標変換（ビデオフォーマット変換）前のデータ形式でもよい。
【００２５】
制御部１６０は、超音波診断装置１における処理全体を制御する。具体的には、制御部１６０は、入力装置１２を介して操作者から入力された各種設定指示や、内部記憶部１７０から読込んだ各種制御プログラム及び各種設定情報に基づき、送受信部１１０、Ｂモード処理部１２０、ドプラ処理部１３０及び画像生成部１４０の処理を制御したり、画像メモリ１５０が記憶する超音波画像などをモニタ１３にて表示するように制御したりする。
【００２６】
内部記憶部１７０は、超音波送受信、画像処理及び表示処理を行うための制御プログラムや、診断情報（例えば、患者ＩＤ、医師の所見など）や、診断プロトコルなどの各種データを記憶する。また、内部記憶部１７０は、必要に応じて、画像メモリ１５０が記憶する画像の保管などにも使用される。なお、内部記憶部１７が記憶するデータは、図示しないインターフェース回路を経由して、外部の周辺装置へ転送することができる。
【００２７】
また、内部記憶部１７０は、超音波プローブ１１に取り付けられた穿刺アダプタ１１ｂから被検体Ｐに対して挿入される穿刺針１１ａの穿刺角度を記憶している。例えば、内部記憶部１７０は、穿刺アダプタ１１ｂが装着された超音波プローブ１１が当接される被検体Ｐの生体表面に対する穿刺針１１ａの挿入角度「３７度」を、穿刺アダプタ１１ｂの穿刺角度として記憶する。また、内部記憶部１７は、モニタ２の表示サイズを記憶している。この穿刺角度は、穿刺アダプタ１１ｂの種類によって予め定められている。例えば、操作者は、超音波プローブ１１へ穿刺アダプタ１１ｂを取り付けると共に、インターフェース部１８０を介して、取り付けた穿刺アダプタ１１ｂの識別番号などを入力する。制御部１６０は、入力された穿刺アダプタ１１ｂの識別番号を受けて、識別番号と予め対応付けられている穿刺角度を内部記憶部１７０へと出力し、内部記憶部１７０が穿刺角度を記録する。また、穿刺アダプタ１１ｂの種類によっては、複数（例えば３種類）の穿刺角度を切り替えて穿刺術を行えるものも存在する。このような穿刺アダプタ１１ｂを用いる場合は、まず操作者はインターフェース部１８０を介して、取り付けた穿刺アダプタ１１ｂの識別番号を入力する。制御部１６０は、入力された識別番号の穿刺アダプタ１１ｂが複数の穿刺角度を切り替え可能であることを認識して、モニタ１３へ穿刺角度の選択を促すメッセージを表示させる。操作者がインターフェース部１８０を介して複数の穿刺角度の中から穿刺術に用いる角度を選択すると、制御部１６０は穿刺角度を内部記憶部１７０へと出力し、内部記憶部１７０が穿刺角度を記憶する。
【００２８】
インターフェース部１８０は、入力装置１２、位置情報取得装置１４、ネットワークと装置本体１００との間での各種情報のやり取りを制御するインターフェースである。
【００２９】
以上、第１の実施形態に係る超音波診断装置の全体構成について説明した。かかる構成のもと、第１の実施形態に係る超音波診断装置１は、以下、詳細に説明する画像生成部１４０及び制御部１６０の処理により、関心領域における穿刺針の視認性を向上させることが可能となるように構成されている。
【００３０】
図２は、画像生成部の処理を説明するための図である。図２に示すように、例えば、画像生成部１４０の生成部１４２は、内部記憶部１７０から穿刺アダプタ１１ａの穿刺角度「３７度」を取得して、超音波画像データ２１（例えば、Ｂモード画像）に点線の穿刺ガイドライン２２を重畳した画像データを生成する。これにより、医師は、穿刺ガイドライン２２が重畳された超音波画像を参照しながら超音波プローブを操作し、穿刺ガイドライン２２が関心領域に重畳する位置で穿刺を行う。
【００３１】
ところで、医師は、ＲＯＩ内に穿刺針が到達した際に、穿刺針の針先がＲＯＩのどの位置にあるのかを正確に把握したい場合がある。しかしながら、穿刺ガイドライン２２がＲＯＩに重畳していると、穿刺針の針先が穿刺ガイドライン２２と重畳してしまい、医師が穿刺針の針先の正確な位置を把握しにくくなっていた。
【００３２】
以下、第１の実施形態に係る制御部１６０の処理について、図３を用いて説明する。図３は、第１の実施形態に係る制御部１６０の構成の一例を説明するための図である。図３に示すように、制御部１６０は、予測部１６１と、設定部１６２と、検知部１６３と、表示制御部１６４とを有する。
【００３３】
予測部１６１は、超音波画像データの撮像領域へ刺入される穿刺針の穿刺経路を予測する。例えば、予測部１６１は、穿刺アダプタ１１ｂの穿刺角度を内部記憶部１７０から取得する。予測部１６１は、取得した穿刺アダプタ１１ｂの穿刺角度から、その穿刺アダプタ１１ｂが装着された超音波プローブ１１に対する穿刺針１１ａの穿刺経路を算出する。そして、予測部１６１は、算出した穿刺針１１ａの穿刺経路を示す情報を生成部１４２へ出力する。これにより、予測部１６１は、穿刺針１１ａの穿刺経路を示す穿刺ガイドラインを超音波画像データに重畳した画像データを、生成部１４２に生成させる。
【００３４】
なお、ここでは、予測部１６１が穿刺アダプタ１１ｂの穿刺角度を用いて穿刺経路を予測する場合を説明したが、実施の形態はこれに限定されるものではない。例えば、予測部１６１は、フリー穿刺（穿刺アダプタを介さず穿刺針を手に持って穿刺する穿刺術）の場合でも、超音波画像データから穿刺針を検出することで、穿刺経路を予測しても良い。この場合、予測部１６１は、超音波画像データに対して画像処理を行って、高輝度で且つ略線分状に分布する画像領域を穿刺針領域として検知する。そして、予測部１６１は、検知した穿刺針領域を延長することで穿刺経路を予測する。また、例えば、予測部１６１は、後述するように、穿刺針に取り付けた磁気センサを用いて穿刺針の針先の位置を取得する。そして、予測部１６１は、穿刺針の針先の位置を２カ所以上取得すると、それらを結ぶ直線を穿刺経路として予測しても良い。
【００３５】
ここで、生成部１４２は、予測部１６１により予測された穿刺経路を示す穿刺ガイドラインを、超音波画像データに重畳した画像データを生成する。例えば、生成部１４２は、超音波プローブ１１に対する穿刺針１１ａの穿刺経路を示す情報を予測部１６１から取得して、超音波画像データに穿刺ガイドラインを合成する。
【００３６】
設定部１６２は、超音波画像データにおいて、穿刺アダプタ１１ｂから挿入される穿刺針１１ａの穿刺対象に対応するＲＯＩを設定する。例えば、設定部１６２は、操作者によって入力装置１２を用いて入力されたＲＯＩの設定指示に基づいて、画像生成部１４０によって生成される超音波画像データにＲＯＩを設定する。なお、設定部１６２によって設定されるＲＯＩは、例えば、生体組織検査やラジオ波焼灼治療（ＲＦＡ：Radio  Frequency  Ablation）など、穿刺のターゲットとなる部位である。
【００３７】
図４は、設定部１６２の処理を説明するための図である。図４に示すように、設定部１６２は、モニタ１３に表示されている超音波画像２１に対してＲＯＩ２３を設定する操作が行われた場合に、設定された領域にＲＯＩ２３を設定する。また、設定部１６２は、超音波画像上のＲＯＩ２３を移動させる操作が行われた場合には、移動後の領域にＲＯＩ２３を設定する。また、設定部１６２は、超音波画像上のＲＯＩ２３を拡大又は縮小させる操作が行われた場合には、拡大又は縮小後のＲＯＩ２３を設定する。設定部１６２は、設定したＲＯＩを画像生成部１４０に表示させる。なお、ここでは、設定されたＲＯＩが超音波画像上に表示されるものと説明したが、必ずしも表示されなくても良い。
【００３８】
検知部１６３は、穿刺針の位置を検知する。例えば、検知部１６３は、超音波画像データに対して画像処理を行って、高輝度で且つ略線分状に分布する画像領域を穿刺針領域として検知する。そして、検知部１６３は、検知した穿刺針領域を用いて針画像データを生成するように生成部１４２を制御する。なお、画像処理による穿刺針領域の検知方法は上述したものに限定されない。例えば、超音波画像としてモニタ１３へ表示する画像データと、穿刺針領域の検出に用いる画像データとが異なっていてもよい。具体的には、受信信号をその周波数成分によって高周波帯域と基本波帯域の２つに分離し、高周波帯域の受信信号からモニタ１３へ表示する画像データを生成し、基本波帯域の受信信号から穿刺針領域の検出に用いる画像データを生成してもよい。また、例えば、後述する線分を検知する領域を、穿刺ガイドライン２２の近傍に絞り込んだうえで検知を行っても構わない。
【００３９】
図５は、検知部１６３の処理を説明するための図である。図５に示すように、検知部１６３は、超音波画像生成部１４１によって生成された超音波画像データから略線分状に分布する画像領域を検知する。そして、検知部１６３は、検知した画像領域付近で高輝度の領域を探索する。そして、検知部１６３は、探索した高輝度領域以外の領域の輝度値を「０」にすることで、生成部１４２に針画像データを生成させる。このように、高輝度領域の探索を略線分状に分布する画像領域付近に限定することで、アーチファクトに起因する高輝度領域や、反射強度の強い生体組織に対応する高輝度領域の輝度値を「０」として、穿刺針１１ａのみが描出された針画像データを生成することができる。そして、生成部１４２は、生成した針画像データを穿刺針２４としてモニタ１３に表示する。このとき、図５では、穿刺針２４が穿刺ガイドライン２２に重畳して表示される。なお、検知部１６３が穿刺針の位置を検知する方法は、上記の方法に限定されるものではなく、例えば、磁気センサを用いて穿刺針の位置を検知しても良い。
【００４０】
表示制御部１６４は、超音波画像に重畳される穿刺ガイドラインのうち、関心領域と重畳する重畳部分を、関心領域と重畳しない非重畳部分とは異なる表示態様で表示させる。例えば、表示制御部１６４は、設定部１６２によって設定されたＲＯＩ２３の情報と、検知部１６３によって検知された穿刺針の位置とを取得する。表示制御部１６４は、穿刺針の位置がＲＯＩ２３に到達すると、穿刺ガイドラインのうちＲＯＩ２３の領域内に重なっている部分については、生成部１４２に消去させる。
【００４１】
図６及び図７は、表示制御部１６４の処理を説明するための図である。図６に示すように、表示制御部１６４は、医師によって被検体Ｐの体内に穿刺された穿刺針がＲＯＩ２３に到達すると、ＲＯＩ２３に含まれる穿刺ガイドライン２２を生成部１４２に消去させる。この結果、図７に示すように、ＲＯＩ２３において穿刺針２４が穿刺ガイドライン２２と重畳せず、穿刺針２４のみが表示されるので、医師が穿刺針の針先の正確な位置を把握しやすくなる。
【００４２】
なお、表示制御部１６４が重畳部分の穿刺ガイドライン２２を消去させるのは、針画像２４がＲＯＩ２３に到達した場合に限定されるものではない。例えば、表示制御部１６４は、針画像２４がＲＯＩ２３から所定距離以内、例えば、ＲＯＩから１ｃｍ手前の位置に到達した際に消去させても良い。また逆に、表示制御部１６４は、針画像２４がＲＯＩ２３の内部に到達し所定距離を通過した場合、例えば、ＲＯＩ２３の輪郭から１ｃｍ内側の位置に到達した際に消去させてもよい。また更には、穿刺対象領域を指定するためのＲＯＩ２３とは別に、穿刺ガイドライン２２を消去するためのＲＯＩ２３´を別途設定しても構わない。この場合、針画像２４がＲＯＩ２３´に到達すると、表示制御部１６４は、穿刺ガイドライン２２のうちＲＯＩ２３の領域内に重なっている部分を消去させる。また別の態様としては、ＲＯＩ２３の設定を省略し、針画像２４の先端部分から所定の範囲だけに係る穿刺ガイドライン２２を消去しても構わない。
【００４３】
図８は、第１の実施形態に係る超音波診断装置１の処理手順を示すフローチャートである。図８に示す処理は、例えば、図示した各装置に電源が投入されると、開始される。
【００４４】
図８に示すように、第１の実施形態に係る超音波診断装置１において、超音波画像生成部１４１は、超音波画像データを生成する（ステップＳ１０１）。続いて、予測部１６１は、穿刺経路を予測する（ステップＳ１０２）。そして、生成部１４２は、穿刺ガイドラインが重畳した超音波画像を表示する（ステップＳ１０３）。設定部１６２は、操作者によって入力装置１２を用いて入力されたＲＯＩの設定指示を受け付けると（ステップＳ１０４肯定）、ＲＯＩを設定する（ステップＳ１０５）。なお、設定部１６２は、ＲＯＩの設定指示を受け付けるまで（ステップＳ１０４否定）、待機状態である。
【００４５】
ここで、例えば、医師が穿刺を開始すると、検知部１６３は、穿刺針の位置を検知する（ステップＳ１０６）。そして、検知部１６３によって検知された穿刺針の位置がＲＯＩに到達すると（ステップＳ１０７肯定）、表示制御部１６４は、穿刺ガイドラインのうちＲＯＩに重畳する重畳部分を生成部１４２に消去させ（ステップＳ１０８）、処理を終了する。なお、穿刺針の位置がＲＯＩに到達するまで（ステップＳ１０７否定）、ステップＳ１０６及びステップＳ１０７の処理が繰り返し実行される。
【００４６】
上述したように、第１の実施形態によれば、超音波画像生成部１４１は、超音波プローブによって受信された反射波に基づいて超音波画像データを生成する。予測部１６１は、超音波画像データの撮像領域へ刺入される穿刺針の穿刺経路を予測する。生成部１４２は、予測部１６１により予測された穿刺経路を示す穿刺ガイドラインを、前記超音波画像データに重畳した画像データを生成する。設定部１６２は、超音波画像データにおいて、穿刺針の穿刺対象に対応する関心領域（ＲＯＩ）を設定する。表示制御部１６４は、画像データに重畳される穿刺ガイドラインのうち、関心領域と重畳する重畳部分を、関心領域と重畳しない非重畳部分とは異なる表示態様で表示させる。このため、超音波診断装置１は、関心領域における穿刺針の視認性を向上させることができる。
【００４７】
また、第１の実施形態によれば、表示制御部１６４は、重畳部分の穿刺ガイドラインを消去する。このため、病変部位において穿刺針が穿刺ガイドラインと重畳しなくなり、穿刺針のみが表示される。したがって、医師は、病変部位における穿刺針の位置を正確に把握することができる。
【００４８】
また、第１の実施形態によれば、検知部１６３は、穿刺針の位置を検知する。そして、表示制御部１６４は、検知部１６３によって検知された穿刺針の位置が、関心領域又は関心領域から所定距離以内に到達すると、重畳部分の穿刺ガイドラインの表示態様を、非重畳部分とは異なる表示態様で表示させる。このため、超音波診断装置１は、穿刺針が病変部位に到達したタイミングで、病変部位における穿刺針の視認性を向上させることができる。すなわち、穿刺針が病変部位に到達するまでは、医師は、穿刺ガイドラインと病変部位との位置関係から穿刺針を刺す際の超音波プローブの位置を決定したり、穿刺針が病変部位に向かっているかどうかを確認したりすることができる。さらに、穿刺針が病変部位に到達すると、医師は、病変部位における穿刺針の位置を正確に把握することができる。
【００４９】
（第２の実施形態）
上記の第１の実施形態では、超音波画像単体を表示して、超音波画像上で設定されたＲＯＩと穿刺ガイドラインとの重畳部分を消去する場合を説明したが、実施形態はこれに限定されるものではない。例えば、実施形態は、超音波画像と他のモダリティ画像とを連動させて並列表示する並列表示機能においても適用することができる。
【００５０】
ここで、並列表示機能を実現するためには、超音波画像と他のモダリティ画像との位置合わせが行われる。この位置合わせには、超音波画像と他のモダリティ画像とで共通して描出される特徴部分が用いられる。この特徴部分として、病変部分などの穿刺のターゲットとなる部位が用いられる場合には、特徴部分を上述したＲＯＩとして用いることができる。そこで、第２の実施形態では、超音波画像と他のモダリティ画像との位置合わせを行うために用いられた特徴部分を、ＲＯＩとして設定する場合を説明する。
【００５１】
まず、第２の実施形態に係る超音波診断装置１の構成について説明する。第２の実施形態に係る超音波診断装置１は、図１の超音波診断装置１と同様の構成を有する。さらに、第２の実施形態に係る超音波診断装置１は、超音波画像と他のモダリティ画像との位置合わせを行うために、位置情報取得装置を備える。具体的には、位置情報取得装置は、超音波プローブ１１がどこに位置するかを示す位置情報を取得する。
【００５２】
また、第２の実施形態に係る超音波診断装置１は、図示しない外部記憶装置とネットワークを介して接続される。この外部記憶装置には、他のモダリティの画像として、例えば、Ｘ線ＣＴ装置によって収集されたボリュームデータが記憶されている。
【００５３】
例えば、超音波プローブ１１に磁気センサが設けられた場合、磁気センサは、位置情報取得装置のトランスミッタを原点として形成された３次元の磁場を検出し、検出した磁場の情報を信号に変換し、変換した信号を位置情報取得装置に出力する。位置情報取得装置は、磁気センサから受信した信号に基づいて、トランスミッタを原点とする３次元空間における磁気センサの位置座標及び向きを算出し、算出した位置座標及び向きを制御部１６０に送る。なお、磁気センサに替えて、赤外線センサや光学センサ、カメラなどを用いても良い。
【００５４】
次に、超音波画像と他のモダリティ画像との位置合わせについて説明する。ここでは、ＣＴ画像を参照画像として診断を行う場合の画像の位置合わせについて、図９及び図１０を用いて説明する。図９は、第２の実施形態に係る画像の位置合わせの一例を説明するための図である。図１０は、第２の実施形態に係る位置合わせされた画像の並列表示の一例を示す図である。ここで、図９及び図１０においては、他のモダリティの画像として、外部記憶装置に記憶されたボリュームデータから生成されたＭＰＲ（Multi  Planar  Reconstructions）画像（以下、ＣＴ画像と記す）を用いる場合について示す。例えば、ＣＴ画像を参照画像として診断や治療が行われる場合には、図９に示すように、超音波プローブに取り付けた磁気センサを用いて、Ｘ線ＣＴ装置によって収集されたボリュームデータと超音波画像との位置合わせが行われる。
【００５５】
例えば、磁気センサが取り付けられた超音波プローブ１１を被検体に対して垂直にあて、その状態でセットボタンを押下することで、制御部１６０は、その時の磁気センサの向きを垂直としてセットし、その時の磁気センサの角度と、ＣＴ画像のボリュームデータにおける角度とを関連付ける。
【００５６】
次に、ＣＴ画像に描出された特徴部分と同一の特徴部分が超音波画像上で描出されるように超音波プローブ１１を移動させて、再度セットボタンを押下することで、制御部１６０は、その時の磁気センサの位置（座標）と、ＣＴ画像のボリュームデータにおける位置（座標）とを関連付ける。また、このとき、制御部１６０は、例えば、位置合わせを行う操作者から設定指示を受け付けることで、位置合わせに用いられる特徴部分に対してマーカーを設定する。マーカーは、ＣＴ画像側で設定されても超音波画像側で設定されても良い。このように、磁気センサの向き及び座標を他のモダリティにおけるボリュームデータの座標と関連付けることで、超音波プローブ１１が現時点の走査面と略同一位置の２次元画像を他のモダリティのボリュームデータから生成することが可能となる。
【００５７】
第２の実施形態に係る設定部１６２は、一方が超音波プローブによって受信された反射波に基づいて生成された超音波画像データである２つの医用画像データにおいて、２つの医用画像データの位置合わせをするために用いられた特徴部分をＲＯＩとして設定する。図１０に示す例では、設定部１６２は、２つの医用画像データの位置合わせをするために設定されたマーカー３１又はマーカー３２を、穿刺ターゲットとなるＲＯＩとして設定する。
【００５８】
上述したように、第２の実施形態によれば、設定部１６２は、一方が超音波プローブによって受信された反射波に基づいて生成された超音波画像データである２つの医用画像データにおいて、２つの医用画像データの位置合わせをするために設定された病変部位をＲＯＩとして設定する。このため、超音波診断装置１は、予め設定された領域を用いて、病変部位における穿刺針の位置を正確に把握することができる。
【００５９】
なお、第２の実施形態に係る検知部１６３は、磁気センサを用いて穿刺針の位置を検知しても良い。例えば、検知部１６３は、磁気センサの座標から穿刺針の座標及び向きを算出する。そして、検知部１６３は、算出した穿刺針の座標及び向きを用いて針画像データを生成するように画像生成部１４を制御する。このように、磁気センサを用いて穿刺針の位置を検知するのは、第２の実施形態に限定されるものではなく、上述した第１の実施形態に適用されても良い。
【００６０】
（第３の実施形態）
さて、これまで第１及び第２の実施形態について説明したが、上述した第１及び第２の実施形態以外にも、種々の異なる形態にて実施されてもよい。
【００６１】
（１）表示態様
上述した第１及び第２の実施形態では、穿刺ガイドラインのうち、穿刺ガイドラインとＲＯＩとが重畳する重畳部分を消去する場合を説明した。しかしながら、実施形態はこれに限定されるものではなく、例えば、表示制御部１６４は、重畳部分の穿刺ガイドラインの表示態様を、点滅表示又は半透明表示などの表示態様に変更させても良い。また、表示制御部１６４は、重畳部分ではなく、穿刺ガイドラインとＲＯＩとが重畳しない非重畳部分の表示態様を強調表示しても良い。すなわち、表示制御部１６４は、重畳部分の穿刺ガイドラインの表示態様を、非重畳部分に比較して視認性の低い表示態様で表示させる。
【００６２】
また、上述した第１及び第２の実施形態では、穿刺ガイドラインを点線により表示したが、例えば、点線の代わりに、超音波画像の映像色とは異なる緑色などに彩色された直線であっても構わない。また、あるいは、穿刺針１１ａのたわみ量を予め予測して、たわみ量を考慮した穿刺針１１ａの予測到達領域を２本の点線で挟まれた領域として示しても構わない。
【００６３】
（２）穿刺ガイドライン表示の手動切り替え
上述した第１及び第２の実施形態では、穿刺針の位置が所定の位置に到達することで、自動的に重畳部分の穿刺ガイドラインが消去される場合を説明した。しかしながら、実施形態はこれに限定されるものではなく、例えば、重畳部分の穿刺ガイドラインが手動的に消去されても良い。
【００６４】
図１１は、受付部１６５の処理を説明するための図である。図１１に示すように、超音波診断装置１の制御部１６０は、重畳部分の穿刺ガイドラインの表示態様を非重畳部分とは異なる表示態様で表示させる旨の指示を操作者から受け付ける受付部１６５を有する。
そして、表示制御部１６４は、受付部１６５が上記の指示を受け付けると、重畳部分の穿刺ガイドラインの表示態様を、非重畳部分とは異なる表示態様で表示させる。これによれば、超音波診断装置１は、医師の求めに応じて、病変部位における穿刺針の視認性を向上させることができる。
【００６５】
（３）ＲＯＩ設定に伴う穿刺ガイドライン表示の消去
また、例えば、超音波診断装置１は、ＲＯＩ設定を受け付けた時点で、重畳部分の穿刺ガイドラインを消去しても良い。例えば、表示制御部１６４は、設定部１６２によってＲＯＩが設定されると、重畳部分の穿刺ガイドラインの表示態様を、非重畳部分とは異なる表示態様で表示させる。これによれば、超音波診断装置１は、関心領域の設定に伴って、病変部位における穿刺針の視認性を向上させることができる。
【００６６】
（４）穿刺針の先端部分に基づくＲＯＩ設定
また、例えば、超音波診断装置１は、穿刺針の先端部分に基づいてＲＯＩを設定し、針先の位置の動きに伴って関心領域が遷移する構成としても良い。例えば、検知部１６３は、穿刺針の位置を検知する。続いて、設定部１６２は、検知部１６３によって検知された穿刺針の針先部分から所定の範囲に対応する領域を関心領域として設定する。そして、表示制御部１６４は、超音波画像に重畳される穿刺ガイドラインのうち、関心領域と重畳する重畳部分を、関心領域と重畳しない非重畳部分とは異なる表示態様で表示させる。これによれば、超音波診断装置１は、穿刺針の針先が超音波画像上のどの位置にあっても、針先の視認性を向上させることができる。
【００６７】
以上説明した少なくともひとつの実施形態によれば、関心領域における穿刺針の視認性を向上させることができる。
【００６８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６９】
１  超音波診断装置
１１  超音波プローブ
１１ａ  穿刺針
１１ｂ  穿刺アダプタ
１００  装置本体
１４０  画像制御部
１６０  制御部
１６１  設定部
１６２  検知部
１６３  表示制御部
１６４  受付部
１６５  予測部
【図１】
2014054386.tif 000003
【図２】
2014054386.tif 000004
【図３】
2014054386.tif 000005
【図４】
2014054386.tif 000006
【図５】
2014054386.tif 000007
【図６】
2014054386.tif 000008
【図７】
2014054386.tif 000009
【図８】
2014054386.tif 000010
【図９】
2014054386.tif 000011
【図１０】
2014054386.tif 000012
【図１１】
2014054386.tif 000013